(57)【要約】      （修正有）【課題】構造が簡単かつ壁面と床面の境界部への取り付けが容易なＬＥＤ照明巾木を提供する。【解決手段】床面と壁面の境界部に取り付けて使用される巾木であって、板状の本体部１０と、本体部１０に取り付けられた照明部１１と、からなる。また、照明部１１は、帯状に形成された部材であって、その長手方向に沿って配設された複数のＬＥＤ光源部１２を備える。本体部１０には、本体部１０の表面から凹んだ溝状の取付部１０ｇが、本体部１０の軸方向に沿って形成されており、取付部１０ｇに照明部１１が取り付けられている。複数のＬＥＤ光源部１２が配設されているので、廊下などの足元付近を照らすことができる。取付部１０ｇに照明部１１を取り付けるだけの構造であるので、本体部１０の構造を簡単にでき、本体部１０を薄くできる。【選択図】図１
0003171343.tif 000002
【実用新案登録請求の範囲】
【請求項１】
床面と壁面の境界部に取り付けて使用される巾木であって、
板状の本体部と、該本体部に取り付けられた照明部と、からなり、
前記照明部は、
帯状に形成された部材であって、その長手方向に沿って配設された複数のＬＥＤ光源部を備えており、
前記本体部には、
該本体部の表面から凹んだ溝状の取付部が、該本体部の軸方向に沿って形成されており、
該取付部に前記照明部が取り付けられている
ことを特徴とするＬＥＤ照明巾木。
【請求項２】
前記ＬＥＤ光源部が、
透光性を有し、かつ、柔軟性を有する樹脂で形成された被覆部によって被覆されている
ことを特徴とする請求項１記載のＬＥＤ照明巾木。
【請求項３】
前記被覆部は、
帯状に形成されており、その内部には、複数のＬＥＤ光源部が配設されている
ことを特徴とする請求項２記載のＬＥＤ照明巾木。
【請求項４】
前記本体部は、
その背面に前記取付部が形成されており、
該取付部と該本体部の表面とを貫通する開口部が形成されており、
該開口部は、
該取付部に前記照明部を取り付けたときに、前記ＬＥＤ光源部から放射される光を前記本体部の外部へ放射し得るように形成されている
ことを特徴とする請求項１、２または３記載のＬＥＤ照明巾木。
【請求項５】
前記開口部は、
前記本体部の長手方向に沿って延びた長穴であり、
前記複数のＬＥＤ光源部は、
その配列方向の軸が、前記照明部を前記取付部に取り付けたときに、前記長穴に形成された開口部の軸と、略平行になるように形成されている
ことを特徴とする請求項４記載のＬＥＤ照明巾木。
【請求項６】
前記照明部には、
前記複数のＬＥＤ光源部を保持するための保持プレートが設けられており、
該保持プレートには、
該照明部を前記本体部の取付部に取り付けたときに、前記複数のＬＥＤ光源部がその配列方向の軸が前記開口部の軸と略平行になるように取り付けられている
ことを特徴とする請求項４または５記載のＬＥＤ照明巾木。
【請求項７】
前記照明部は、
透光性を有し、かつ、柔軟性を有する被覆部を備えており、
その厚さが、前記取付部の凹み深さよりも若干大きくなるように形成されている
ことを特徴とする請求項４、５または６記載のＬＥＤ照明巾木。
【考案の詳細な説明】
【技術分野】
【０００１】
本考案は、巾木に関する。さらに詳しくは、照明機能を有する巾木に関する。
【背景技術】
【０００２】
従来、室内において、足元を照らす照明としては、天井に取り付けたダウンライトや壁面に取り付けた足元灯などが一般的に使用されている。しかし、ダインライトの場合、光は上方から下方に向かって照射されるので、夜間にトイレ等に行くときに上方から照射される光によって眠気が覚醒されてしまうことがあった。また、足元灯は、壁面から大きく突出して配置されている場合が多く、かかる場合には、昼夜を問わず足元灯に足などをぶつけることもあった。
【０００３】
近年、光源の小型化の技術が進み、壁面と床面との境界部に取り付けられる巾木に照明機能を付与する技術が開発されている（例えば、特許文献１，２）。例えば、ナツメ球などの小型電球やＬＥＤなどの小型の光源を備えた巾木が開発されており、かかる巾木では、光源から放射される光を足元付近に照射することができるようになっている。
【０００４】
しかし、上記のごとき巾木では、光源は中空な収容空間内に配置されており、収容空間内の光源から放射される光を巾木外部に導くために、かかる巾木は、その内部構造が複雑な構造になっている。
例えば、特許文献１の巾木では、下端部に開口を有する収容空間が巾木内部に形成されており、この収容空間の上端部に設けられた弾丸型のＬＥＤから照射された光が、収容空間内の下端部に設けられた反射板によって、巾木外部へ放射される構造となっている。
また、特許文献２の巾木では、その内部には中空な筒状の収容空間が形成されており、この収容空間内の上部および下部にそれぞれ形成された溝に、ＬＥＤが配置された基盤の上下端部を嵌めこむように配置されている。そして、かかる巾木の正面部は、断面略く字状に形成されている。つまり、かかる巾木の正面部は、正面から見たときに、斜め下向きの傾斜片と、斜め上向きの傾斜片とによって、収容空間内に向かって凹んだ断面く字状のくびれ部分が巾木の長手方向に沿って形成されている。また、かかる斜め下向きの傾斜片は、ＬＥＤよりも下方に位置するように形成されており、ＬＥＤから放射された光を、この斜め下向きの傾斜片から巾木の外部へ放射することができるような構造となっている。
【０００５】
しかるに、上述したような巾木は、足元灯に比べて薄くできるのもの、この巾木の厚さは、一般的な巾木の厚さよりも肉厚になる。すると、かかる巾木を壁面と床面の境界部に取り付けた場合、壁面から極端に張り出してしまうという問題が生じる。
【０００６】
一方、巾木を取り付ける壁面構造を、かかる巾木が壁面から極端に張り出さないように壁面を凹ませた構造等にすれば、巾木の厚さは目立たなくなるが、壁面構造が複雑になるし、かかる巾木を設置するための作業工数が多くなる、といった問題が生じる。
かかる事情もあり、壁面と床面の境界部に設置する巾木に照明機能を付与した巾木として、巾木および壁面の構造を複雑にせず、巾木の設置するための作業工数を少なく短時間で行うことができるものが求められている。
【先行技術文献】
【特許文献】
【０００７】
【特許文献１】特開２００２−２７６１４５号公報
【特許文献２】特開２００１−３５５３号公報
【考案の概要】
【考案が解決しようとする課題】
【０００８】
本考案は上記事情に鑑み、構造が簡単かつ壁面と床面の境界部への取り付けが容易なＬＥＤ照明巾木を提供することを目的とする。
【課題を解決するための手段】
【０００９】
第１考案のＬＥＤ照明巾木は、床面と壁面の境界部に取り付けて使用される巾木であって、板状の本体部と、該本体部に取り付けられた照明部と、からなり、前記照明部は、帯状に形成された部材であって、その長手方向に沿って配設された複数のＬＥＤ光源部を備えており、前記本体部には、該本体部の表面から凹んだ溝状の取付部が、該本体部の軸方向に沿って形成されており、該取付部に前記照明部が取り付けられていることを特徴とする。
第２考案のＬＥＤ照明巾木は、第１考案において、前記ＬＥＤ光源部が、透光性を有し、かつ、柔軟性を有する樹脂で形成された被覆部によって被覆されていることを特徴とする。
第３考案のＬＥＤ照明巾木は、第２考案において、前記被覆部は、帯状に形成されており、その内部には、複数のＬＥＤ光源部が配設されていることを特徴とする。
第４考案のＬＥＤ照明巾木は、第１、第２または第３考案において、前記本体部は、その背面に前記取付部が形成されており、該取付部と該本体部の表面とを貫通する開口部が形成されており、該開口部は、該取付部に前記照明部を取り付けたときに、前記ＬＥＤ光源部から放射される光を前記本体部の外部へ放射し得るように形成されていることを特徴とする。
第５考案のＬＥＤ照明巾木は、第４考案において、前記開口部は、前記本体部の長手方向に沿って延びた長穴であり、前記複数のＬＥＤ光源部は、その配列方向の軸が、前記照明部を前記取付部に取り付けたときに、前記長穴に形成された開口部の軸と、略平行になるように形成されていることを特徴とする。
第６考案のＬＥＤ照明巾木は、第４または第５考案において、前記照明部には、前記複数のＬＥＤ光源部を保持するための保持プレートが設けられており、該保持プレートには、該照明部を前記本体部の取付部に取り付けたときに、前記複数のＬＥＤ光源部がその配列方向の軸が前記開口部の軸と略平行になるように取り付けられていることを特徴とする。
第７考案のＬＥＤ照明巾木は、第４、第５または第６考案において、前記照明部は、透光性を有し、かつ、柔軟性を有する被覆部を備えており、その厚さが、前記取付部の凹み深さよりも若干大きくなるように形成されていることを特徴とする。
【考案の効果】
【００１０】
第１考案によれば、帯状に形成された照明部の長手方向に沿って複数のＬＥＤ光源部が配設されているので、廊下や室内などの壁面と床面の境界部に本体部を取り付けた状態において、本体部の長手方向に沿って廊下などの足元付近を照らすことができる。すると、夜間でも本体部から照射される光によって足元が十分に照らされるので、室内灯を点灯しなくても安全に歩行できる。しかも、帯状の照明部には複数のＬＥＤ光源部が設けられているので、照明部を本体部の取付部に取り付けるだけで、一度に複数のＬＥＤ光源部を本体部に取り付けることができる。すると、ＬＥＤ光源部だけをそれぞれ別個に本体部に取り付ける必要もないので、本体部に対して照明機能を付与する作業工数を少なくすることができる。さらに、溝状の取付部を形成し、この取付部に照明部を取り付けるだけの構造であるので、本体部には照明部を収容するための特別な収容空間を形成する必要がないから、本体部の構造を簡単にでき、しかも、本体部を薄くすることができる。すると、本体部を壁面と床面の境界部に取り付けても、壁面から本体部が極端に張り出さないので、壁面の加工が不要となる。このため、本体部の設置作業の工数を少なくすることができるし、本体部を既存の壁面と床面の境界部にも取り付けることができる。
第２考案によれば、ＬＥＤ光源部が透光性を有する樹脂で形成された被覆部によって被覆されているので、ＬＥＤ光源部にゴミや埃が付着するのを防止できる。しかも、ある程度の衝撃等からＬＥＤ光源部を保護することができる。
第３考案によれば、帯状の被覆部の内部に複数のＬＥＤ光源部が配設されており、隣接するＬＥＤ光源部を電気的に接続する基盤部も被覆部によって覆われている。すると、取付部に照明部を取り付けるときに隣接するＬＥＤ光源部間の断線などの作業ミスなどが発生することを防止でき、作業効率を上げることができる。
第４考案によれば、本体部の背面に取付部を形成しているので、かかる取付部に照明部を取り付けた本体部を壁面と床面の境界部に取り付けた状態において、本体部を正面から見たときに、本体部をすっきりとした形状に形成できる。しかも、本体部の正面には、開口部が形成されているので、開口部を介して取付部に取り付けた照明部に配設されたＬＥＤ光源部から照射された光を本体部の外部へ放射することができる。
第５考案によれば、複数のＬＥＤ光源部は、その配列方向の軸が、長穴に形成した開口部の軸と略平行になるように形成されているので、それぞれのＬＥＤ光源部から照射された光を、かかる長穴の開口部から確実に本体部の外部へ照射することができる。すると、廊下や室内などの壁面と床面の境界部に本体部を取り付ければ、廊下などの足元付近をより明るく照らすことができるので、夜間でもより安全に歩行できる。
第６考案によれば、複数のＬＥＤ光源部が保持プレートによって保持されているので、照明部を取付部へ取り付ける作業が容易になる。また、長穴に形成した開口部の場合、確実に複数のＬＥＤ光源部の配列方向の軸と長穴に形成した開口部の軸とを略平行にできる。
第７考案によれば、被覆部を変形させた状態で取付部に照明部を取り付ければ、照明部の背面と本体部の背面とを略面一にすることができる。しかも、照明部の背面と本体部の背面とを略面一にすると、開口部を被覆部によって塞ぐことができるので、開口部から取付部内にチリや埃などが入るのを防止できる。また、照明部の背面と本体部の背面とを略面一にすれば、本体部を壁面と床面の境界部に取り付けるときに、壁面の加工等をしなくても、確実に本体部をかかる境界部に取り付けることができるし、既存の壁面に対しても簡単に本体部を取り付けることができる。
【図面の簡単な説明】
【００１１】
【図１】（Ａ）は本実施形態のＬＥＤ照明巾木１の概略斜視図とその要部概略拡大図であり、（Ｂ）は本実施形態のＬＥＤ照明巾木１の概略断面図とその要部概略拡大図である。
【図２】（Ａ）は本実施形態のＬＥＤ照明巾木１を正面から見た概略図であり、（Ｂ）はＬＥＤ照明巾木１における本体部１０単体を正面から見た概略図であり、（Ｃ）はＬＥＤ照明巾木１における照明部１１単体を正面から見た概略図とその要部概略断面図である。
【図３】照明部１１を本実施形態のＬＥＤ照明巾木１における本体部１０の取付部１０ｇに取り付ける取り付け方法の概略図であり、（Ａ）は照明部１１の中心軸ＣＬ１と本体部１０における開口部１０ｈの中心軸ＣＬ２が一致した場合の概略説明図であり、（Ｂ）は開口部１０ｈの中心軸ＣＬ２が照明部１１の中心軸ＣＬ１に対して下方に位置した場合の概略説明図であり、（Ｃ）は開口部１０ｈの中心軸ＣＬ２が照明部１１の中心軸ＣＬ１に対して上方に位置した場合の概略説明図である。
【図４】（Ａ）は他の実施形態のＬＥＤ照明巾木１を壁面Ｗと床面Ｆの境界部に取り付けるときの概略図であり、（Ｂ）は他の実施形態のＬＥＤ照明巾木１を壁面Ｗと床面Ｆの境界部に取り付けた状態の概略図である。
【図５】本実施形態のＬＥＤ照明巾木１を壁面Ｗと床面Ｆの境界部に取り付けた状態において、本実施形態のＬＥＤ照明巾木１を使用したときの概略図説明図である。
【考案を実施するための形態】
【００１２】
つぎに、本考案の実施形態を図面に基づき説明する。
本考案のＬＥＤ照明巾木は、壁面と床面の境界部に取り付けて使用される巾木であって、巾木の本体部に特別な収容空間を形成することなく照明機能を付与することができる構造としたことに特徴を有するものである。
【００１３】
以下では、建物などにおいて、廊下や室内の壁面と床面の境界部に取り付ける場合を説明するが、本考案のＬＥＤ照明巾木を取り付ける場所は廊下や室内などに限定されない。例えば、玄関ポーチなどに設けられた壁のように、壁面などがあれば取り付けることが可能である。
【００１４】
つぎに、本実施形態のＬＥＤ照明巾木１を説明する。
まず、ＬＥＤ照明巾木１の構造を説明する前に、ＬＥＤ照明巾木１の使用状況を図４に基づいて説明する。
図５に示すように、ＬＥＤ照明巾木１は、建物内において、壁面Ｗと床面Ｆの境界部に取り付けて使用するものであり、ＬＥＤ照明巾木１の正面から前方に向かって光Ｌを放射することができるものである。すると、本考案のＬＥＤ照明巾木１の照明を点灯していれば、夜間でも安全に歩行できるだけの光を足元付近に照射することができる。このため、夜間にトイレなどに行く際にダウンライトなどの室内灯を点灯しなくても、足元だけが十分に照らされるので安心してトイレまで行くことができ、しかも、眠気が覚醒されないので、その後ぐっすりと眠ることができるから健康にもよい。
【００１５】
つぎに、本実施形態のＬＥＤ照明巾木１について説明する。
図１に示すように、本実施形態のＬＥＤ照明巾木１は、本体部１０と、ＬＥＤ光源部１２を有する照明部１１とを備えている。
【００１６】
（本体部１０の説明）
本体部１０は、板状の長尺な部材であり、その大きさが、一般的に建物などに使用されている巾木と同程度に形成されているものである。この本体部１０の大きさは、一般的な巾木と同等であれば、とくに限定されない。例えば、厚さが８〜１０ｍｍ程度であり、高さが５０〜８０ｍｍ程度のものを使用することができる。
【００１７】
本体部１０には、照明部１１を取り付けるための溝状の取付部１０ｇが形成されている。この取付部１０ｇは、本体部１０の背面（壁面Ｗに取り付けられる面）から表面に向かって凹んだ形状であり、その軸方向が本体部１０の長手方向と略平行になるように形成されている。
この取付部１０ｈは、例えば、図１に示すように、断面矩形に形成することができるが、この凹み部の断面形状は、照明部１１を取り付けることができる形状であれば、とくに限定されない。
また、取付部１０ｇは、本体部１０の長手方向の長さは、とくに限定されない。具体的には、取付部１０ｇは、その断面矩形の開口幅が１０〜２０ｍｍ程度であり、その凹み深さが３〜５ｍｍ程度であり、その長さが１００〜３００ｍｍ程度になるように形成することができる。
【００１８】
（開口部１０ｈの説明）
図１に示すように、本体部１０には、本体部１０の表面と取付部１０ｇとを貫通する開口部１０ｈが形成されている。この開口部１０ｈは、取付部１０ｇに照明部１１を取り付けたときに、照明部１１に備えたＬＥＤ光源部１２から放射される光Ｌを本体部１０の正面に向かって放射することができるように形成されている。
【００１９】
この場合、図１に示すように、本体部１０の背面に取付部１０ｇを形成しているので、かかる取付部１０に照明部１１を取り付けた本体部１０を壁面Ｗと床面Ｆの境界部に取り付けた状態において、本体部１０を正面から見たときに、本体部１０をすっきりとした形状に形成できる。しかも、本体部１０の正面には、開口部１０ｈが形成されているので、開口部１０ｈを介して取付部１０ｇに取り付けた照明部１１に配設されたＬＥＤ光源部１２から照射された光Ｌを本体部１０の外部へ放射することができる。
【００２０】
例えば、開口部１０ｈは、その長さが約３００ｍｍになるように形成されている場合、後述するように複数のＬＥＤ光源部１２は、その間隔が約２０ｍｍ〜２５ｍｍであるので、かかる長穴の開口部１０ｈから約１０個のＬＥＤ光源部１２によって、本体部１０の外部へ光Ｌを放射させることができる。
【００２１】
（照明部１１の説明）
図１および図２（Ｃ）に示すように、照明部１１は、帯状に形成された部材であって、その長手方向の軸ＡＬ２に沿って、複数のＬＥＤ光源部１２が配設されたものである。この照明部１１は、透光性を有し、かつ、柔軟性を有する被覆部１３によって覆われた光帯状部材と、この光帯状部材を取り付けて保持するための保持プレート１４と、から構成されている。
そして、この照明部１１は、図１（Ｂ）に示すように、上述した取付部１０ｇに取り付けることができる構造となっている。
【００２２】
以上のごとく、本実施形態のＬＥＤ照明巾木１は、帯状に形成された照明部１１の長手方向の軸ＡＬ２に沿って複数のＬＥＤ光源部１２が配設されており、しかも、開口部１０ｈは、本体部１０の長手方向の軸に沿って形成されている。このため、廊下や室内などの壁面Ｗと床面Ｆの境界部に本体部１０を取り付けた状態において、本体部１０の長手方向に沿って廊下などの足元付近を照らすことができる。すると、夜間でも本体部から照射される光Ｌによって足元が十分に照らされるので、室内灯を点灯しなくても安全に歩行できる。
【００２３】
しかも、帯状の照明部１１には複数のＬＥＤ光源部１２が設けられているので、照明部１１を本体部１０の取付部１０ｇに取り付けるだけで、一度に複数のＬＥＤ光源部１２を本体部に取り付けることができる。すると、ＬＥＤ光源部１２だけをそれぞれ別個に本体部１０に取り付ける必要もないので、本体部１０に対して照明機能を付与する作業工数を少なくすることができる。
【００２４】
さらに、溝状の取付部１０ｇを形成し、この取付部１０ｇに照明部１１を取り付けるだけの構造であるので、図３（Ａ）に示すように、照明部１１は、取付部１０ｇに簡単に取り付けることができる。しかも、本体部１０には照明部１１を収容するための特別な収容空間を形成する必要がないから、本体部１０の構造を簡単にできる。
また、本体部１０を薄くすることができるから、本体部１０を壁面Ｗと床面Ｆの境界部に取り付けても、壁面Ｗから本体部１０が極端に張り出さないので、壁面Ｗの加工が不要となる。このため、本体部１０の設置作業の工数を少なくすることができるし、本体部１０を既存の壁面Ｗと床面Ｆの境界部にも取り付けることができる。
【００２５】
以下、より具体的に各部の構造について説明する。
【００２６】
（ＬＥＤ光源部１２の説明）
複数のＬＥＤ光源部１２は、上述した照明部１１の長手方向の軸ＡＬ２に沿って、所望の間隔を開けてほぼ一列に配置されている。
具体的には、図２（Ｃ）に示すように、この複数のＬＥＤ光源部１２は、正面視において、各ＬＥＤ光源部１２が帯状の部材の上に、その長手方向の軸ＡＬ２に沿って、約２０ｍｍ〜２５ｍｍ間隔を開けてほぼ一列に配置されている。つまり、この複数のＬＥＤ光源部１２は、その配列方向の軸が、上記照明部１１の長手方向の軸ＡＬ２と一致するように形成されているのである。
この場合、個々のＬＥＤ光源部１２から放射される光Ｌの重なりが小さくなるので、少ないＬＥＤ光源部１２でより効率良く本体部１０の外部に向かって光Ｌを放射することができる。
【００２７】
個々のＬＥＤ光源部１２は、基盤１２ｂと、この基盤１２ｂ上に連結するように配置された発光体１２ｅと、から形成されている。例えば、図１に示すように、基盤１２ｂは、約３〜６ｍｍ四方の略正方形であり、発光体１２ｅは、直径約２〜４ｍｍの略円形であり、両者を重ねあわせた状態の厚さが約２〜４ｍｍとなるように形成することができるが、基盤１２ｂおよび発光体１２ｅは、連結した状態において上述した光帯状部材の内部に収容され得る大きさであれば、その形状および大きさは、とくに限定されない。
なお、このＬＥＤ光源部１２は、隣接するＬＥＤ光源部１２同士が、薄い導線などで電気的に接続されている（図２（Ｃ）の隣接するＬＥＤ光源部１２間の実線参照）。
【００２８】
（被覆部１３の説明）
図１（Ｂ）に示すように、上述したＬＥＤ光源部１２は、被覆部１３で覆われている。この被覆部１３は、透光性を有し、かつ、柔軟性を有する樹脂で形成されている。
この被覆部１３は、透光性を有するので、被覆部１３内のＬＥＤ光源部１２から放射された光Ｌを被覆部１３外に放射することができる。
また、被覆部１３は、ＬＥＤ光源部１２を完全に覆っているので、ＬＥＤ光源部１２にゴミや埃が付着するのを防止できる。
しかも、被覆部１３は、柔軟性を有するので、ある程度の衝撃などが被覆部１３表面に加えられた場合、その加えられた力は、直接内部のＬＥＤ光源部１２に伝達されない。このため、被覆部１３は、ある程度の衝撃などが加えられた場合でも、被覆部１３内のＬＥＤ光源部１２が破損等することを防ぐことができる。
【００２９】
とくに、図２（Ｃ）に示すように、この被覆部１３を、帯状に形成し、その内部に複数のＬＥＤ光源部１２を配設したものが好ましい。
【００３０】
例えば、図１（Ｂ）および図２（Ｃ）に示すように、被覆部１３は、断面が半円形状になるように形成されており、その内部に、略一列に配列された複数のＬＥＤ光源部１２が配設されている。
この場合、帯状の被覆部１３の内部に複数のＬＥＤ光源部１２が配設されており、隣接するＬＥＤ光源部１２の基盤１２ｂや両者間を電気的に接続する導線などを含む基盤部も被覆部１３によって覆われている。すると、取付部１０ｇに照明部１１を取り付けるときに隣接するＬＥＤ光源部１２間の断線などの作業ミスなどが発生することを防止でき、作業効率を上げることができる。
【００３１】
図１に示すように、開口部１０ｈは、本体部１０の長手方向に沿って延びた長穴になるように形成されているのが好適である。
【００３２】
具体的には、この長穴の開口部１０ｈは、その長手方向の軸ＡＬ１が、取付部１０ｇの長手方向の軸と並行になるよう形成されている。取付部１０ｇは、上述したように本体部１０の長手方向に沿って形成されている。一方、照明部１１は、この取付部１０ｇに取り付けた状態において、その長手方向の軸ＡＬ２が、取付部１０ｇの長手方向と略平行になるように形成されている。そうすると、図２に示すように、照明部１１を取付部１０ｇに取り付けると、複数の光源部１２は、その配列方向の軸が照明部１１の長手方向の軸ＡＬ２上に位置しているので、その配列方向の軸は、長穴の開口部１０ｈの軸ＡＬ１と略平行になる。
したがって、それぞれのＬＥＤ光源部１２から照射された光Ｌを、かかる長穴の開口部１０ｈから確実に本体部１０の外部へ照射することができる。すると、廊下や室内などの壁面Ｗと床面Ｆの境界部に本体部１０を取り付ければ、廊下などの足元付近をより明るく照らすことができるので、夜間でもより安全に歩行できる。
【００３３】
とくに、図３（Ａ）に示すように、開口部１０ｈは、その中心軸ＣＬ２が、取付部１０ｇに照明部１１を取り付けたときに、照明部１１の中心軸ＣＬ１と略一致するように形成されているのが好適である。
この場合、照明部１１のＬＥＤ光源部１２から放射される光Ｌを、本体部１０の正面に向かって略均等に放出することができる。つまり、ＬＥＤ光源部１２から放射される光Ｌは、開口部１０ｈの本体部１０正面側の上端から斜め上方および下端から斜め下方の範囲に放射することができるのである。
【００３４】
また、この開口部１０ｈは、その中心軸ＣＬ２が、照明部１１の中心軸ＣＬ１に対して上方または下方に位置するように形成すれば、開口部１０ｈから放射する光Ｌの向きを調整することができる。
【００３５】
例えば、図３（Ｂ）に示すように、開口部１０ｈは、取付部１０ｇに照明部１１を取り付けたときに、その中心軸ＣＬ２が、照明部１１の中心軸ＣＬ１に対して上方に位置するように形成した場合、開口部１０ｈの本体部１０正面側の上端から斜め上方に放射される光Ｌを遮断することができる。すると、本体部１０正面側の下方だけを照らしたい場所、例えば、映画館などの廊下や一般家庭の廊下などに使用することができる。
また、図３（Ｃ）に示すように、開口部１０ｈは、取付部１０ｇに照明部１１を取り付けたときに、その中心軸ＣＬ２が、照明部１１の中心軸ＣＬ１に対して下方に位置するように形成した場合、開口部１０ｈの本体部１０正面側の下端から斜め下方に放射される光Ｌを遮断することができる。すると、本体部１０正面側の上方をとくに照らしたい場所、例えば、一般家庭の居室内などに使用することができる。
なお、中心軸とは、照明部１１においては、ＬＥＤ光源部１２の光軸を意味し、開口部１０ｈにおいては、長手方向の軸と本体部１０の表面とを直交する軸を意味する。
【００３６】
（保持プレート１４の説明）
つぎに、保持プレート１４について、以下説明する。
保持プレート１４は、板状のプレートであって、上述した上述した複数のＬＥＤ光源部１２を保持することができるように形成されている。すると、複数のＬＥＤ光源部１２が保持プレート１４によって保持されているので、照明部１１を取付部１０ｇへ取り付ける作業が容易になる。図２（Ｃ）に示すように、保持プレート１４は、正面視において、その上下方向の幅がＬＥＤ光源部１２よりもやや大きくなるように形成されている場合、複数のＬＥＤ光源部１２を取り付けて保持させやすくなる。
【００３７】
とくに、図２（Ｃ）に示すように、保持プレート１４に、照明部１１がその長手方向の軸ＡＬ２と、保持プレート１４の長手方向の軸とが一致するように取り付けられているのが好適である。
この場合、取付部１０ｇと開口部１０ｈの長手方向の軸が一致するように形成しておけば、取付部１０ｇに照明部１１を取り付けたときに、複数のＬＥＤ光源部１２の配列方向の軸を上述したように照明部１１の長手方向の軸ＡＬ２に一致させることができるので、かかる配列方向の軸は、上述した長穴の開口部１０ｈの長手方向の軸ＡＬ１と略平行になる。すると、照明部１１が保持プレート１４を有しているので、確実に複数のＬＥＤ光源部１２の配列方向の軸と、長穴に形成した開口部１０ｈの長手方向の軸ＡＬ１とを略平行にできる。
【００３８】
（照明部１１の厚さの説明）
つぎに、照明部１１の厚さについて、以下説明する。
図３（Ａ）に示すように、照明部１１が、上述した被覆部１３を備えており、照明部１１の厚さＬ１が、上述した取付部１０ｇの凹み深さＬ２よりも若干大きくなるように形成されているのが好適である。
この場合、被覆部１３を変形させた状態で取付部１０ｈに照明部１１を取り付ければ、照明部１１の背面と本体部１０の背面とを略面一にすることができる。照明部１１の背面と本体部１０の背面とを略面一にすると、変形した被覆部１３の一部が開口部１０ｈ内に入り取付部１０ｇと開口部１０ｈの連結部に密着するから、開口部１０ｈを被覆部１３によって塞ぐことができる。すると、開口部１０ｈから取付部１０ｇ内にチリや埃などが入るのを防止できる。
また、照明部１１の背面と本体部１０の背面とを略面一にすれば、本体部１０を壁面Ｗと床面Ｆの境界部に取り付けるときに、壁面Ｗの加工等をしなくても、確実に本体部１０をかかる境界部に取り付けることができるし、既存の壁面Ｗに対しても簡単に本体部１０を取り付けることができる。
【００３９】
なお、上記例では、照明部１１が保持プレート１４を有する場合を説明したが、図４（Ａ）に示すように、照明部１１に保持プレート１４が設けられていないものも採用してもよい。この照明部１１は、その厚さが上述した場合と同様の厚さになるように形成されていれば、上述と同様に照明部１１の背面と本体部１０の背面とを略面一にすると、変形した被覆部１３の一部が開口部１０ｈ内に入り取付部１０ｇと開口部１０ｈの連結部に密着するから、開口部１０ｈを被覆部１３によって塞ぐことができる。
【００４０】
なお、取付部１０ｇの位置は、その下端が、本体部１０を壁面Ｗと床面Ｆの境界部に取り付けたときの本体部１０の下端から上方１５〜３５ｍｍ程度の位置に形成するのが好適である。
この場合、本体部１０を壁面Ｗと床面Ｆの境界部に取り付けて使用する状況において、掃除機の先端部などが取付部１０ｇに取り付けた照明部１１にぶつかることによって照明部１１が損傷等する事故が発生するのを回避することができる。
【００４１】
また、照明部１１には、照明部１１のＬＥＤ光源部１２へ電力を供給し、かつ、ＬＥＤ光源部１２の動作を制御するための制御手段が電気的に導線などで接続されているのが好ましい。
この制御手段は、電源部と、この電源部と照明部１１に設けられているＬＥＤ光源部１２との間に電気的に接続する導線を備えている。電源部は、商用電源から供給される電力を直流電力に変換してＬＥＤ光源部１２に供給する電源と、電源の作動を制御してＬＥＤ光源部１２の作動を制御する作動制御回路を内蔵している。電源部に設けられる電源および作動制御回路はとくに限定されず、一般的なＬＥＤ光源に使用されるものを採用することができる。導線は、電源部とＬＥＤ光源部１２との間を電気的に接続できる一般的な導線であればよく、とくに限定されない。
上記のごとき制御手段を照明部１１に接続すれば、ＬＥＤ光源部１２を制御することができるので、本考案のＬＥＤ照明巾木１に調光機能なども付与することができる。例えば、制御手段によって、ＬＥＤ光源部１２から放射される光の光量を調整することができるので、本体部１０の外部へ照射される光を所望の明るさにできる。また、制御手段によって、ＬＥＤ光源部１２のＯＮ、ＯＦＦも調整できる。さらに、ＬＥＤ光源部１２に備えられた発光体１２ｅが異なる波長の光を発光することができるものであれば、制御手段によって、ＬＥＤ光源部１２から放射される光の色調も調整することができるので、本体部１０の外部へ照射される光を所望の色調にできる。
【産業上の利用可能性】
【００４２】
本考案のＬＥＤ照明巾木は、夜間などに足元付近だけ照らすことができる壁面と床面の境界部へ取り付けて使用される巾木に適している。
【符号の説明】
【００４３】
１      ＬＥＤ照明巾木
１０    本体部
１０ｇ  取付部
１０ｈ  開口部
１１    照明部
１２    ＬＥＤ光源部
１２ｂ  基盤
１２ｅ  発光体
【図１】
0003171343.tif 000003
【図２】
0003171343.tif 000004
【図３】
0003171343.tif 000005
【図４】
0003171343.tif 000006
【図５】
0003171343.tif 000007